(57)【要約】【課題】リモコンによる簡単な操作により、紙幣収納ユニットの取り出しおよび装着を即座におこなえるうえ、紙幣の回収作業を容易、且つ効率良くおこなうことができる遊技媒体貸出システムを提供する。【解決手段】玉貸出処理機２０は、ＢＶユニット部６１の取り出しおよび装着をおこなうための突出移動機構６０を備え、この突出移動機構部６０は、駆動モータ６４により駆動されるピニオンギヤ６５と、このピニオンギヤ６５と噛合するラック６３とから構成され、リモコン９０からの解錠指示により、突出移動機構６０を作動させることで、玉貸出処理機２０のＢＶユニット部６１に対する解錠をおこなう。【選択図】        図１２
2005124638.tif 000002
【特許請求の範囲】
【請求項１】
複数の遊技機に並設されるとともに、紙幣の受け入れにより、当該遊技機に対する遊技媒体の貸し出し処理をおこなう貸出処理機を備えた遊技媒体貸出システムにおいて、
前記貸出処理機は、
前記紙幣を内部に収納するとともに、前記貸出処理機本体内に収納され収納紙幣の取り出しを阻止する取り出し阻止状態と、前方へ突出して収納紙幣の取り出しを許容する取り出し許容状態との間を移動可能な紙幣収納ユニットを備え、
前記紙幣収納ユニットに前記取り出し阻止状態と前記取り出し許容状態の間を移動させる突出移動機構と、
外部から入力される解錠指示に対応して、前記突出移動機構の作動をおこなうことにより、前記紙幣収納ユニットに対する解錠を制御する解錠制御手段と、
を備えることを特徴とする遊技媒体貸出システム。
【請求項２】
複数の遊技機に並設されるとともに、紙幣の受け入れにより、当該遊技機に対する遊技媒体の貸し出し処理をおこなう貸出処理機を備えた遊技媒体貸出システムにおいて、
前記貸出処理機は、
前記紙幣を内部に収納するとともに、前記貸出処理機本体内に収納され収納紙幣の取り出しを阻止する取り出し阻止状態と、前方へ突出して収納紙幣の取り出しを許容する取り出し許容状態との間を移動可能な紙幣収納ユニットを備え、
前記紙幣収納ユニットに前記取り出し阻止状態と前記取り出し許容状態の間を移動させる突出移動機構と、
前記紙幣収納ユニットを取り出し阻止状態に施錠するロック機構と、
外部から入力される解錠指示に対応して、前記ロック機構と前記突出移動機構の作動をおこなうことにより、前記紙幣収納ユニットに対する解錠を制御する解錠制御手段と、
を備えることを特徴とする遊技媒体貸出システム。
【請求項３】
複数の遊技機に並設されるとともに、紙幣の受け入れにより、当該遊技機に対する遊技媒体の貸し出し処理をおこなう貸出処理機と、前記紙幣による入金情報を売上情報として取得する管理装置とを備えた遊技媒体貸出システムにおいて、
前記貸出処理機は、
前記紙幣を内部に収納するとともに、前記貸出処理機本体内に収納され収納紙幣の取り出しを阻止する取り出し阻止状態と、前方へ突出して収納紙幣の取り出しを許容する取り出し許容状態との間を移動可能な紙幣収納ユニットを備え、
前記紙幣収納ユニットに前記取り出し阻止状態と前記取り出し許容状態の間を移動させる突出移動機構と、
解錠指示を受けると、前記突出移動機構を作動させることにより、紙幣収納ユニットに対する解錠を制御する解錠制御手段とを備え、
前記管理装置は、
前記貸出処理機に対して、前記収納紙幣の回収にともなう、解錠指示を通知する解錠指示通知手段と、
を備えることを特徴とする遊技媒体貸出システム。
【請求項４】
前記解錠制御手段による紙幣収納ユニットに対する解錠は、無線式の遠隔操作装置による解錠指示通知に基づいて、おこなわれることを特徴とする請求項１、２または３に記載の遊技媒体貸出システム。
【請求項５】
前記突出移動機構は、
前記紙幣収納ユニットに備えたラックと、
前記ラックと噛合自在なピニオンギヤと、
前記ピニオンギヤを駆動する駆動装置と、
により構成されることを特徴とする請求項１〜４のいずれか一つに記載の遊技媒体貸出システム。
【請求項６】
前記突出移動機構は、
前記貸出処理機本体の内部に前下がりに形成される第１の傾斜部材と、
前記紙幣収納ユニットの底部に固設され、前記第１の傾斜部材に摺動する第２の傾斜部材と、
により構成されることを特徴とする請求項１〜４のいずれか一つに記載の遊技媒体貸出システム。
【発明の詳細な説明】
【技術分野】
【０００１】
本発明は、紙幣の受け入れにより、遊技機に対して遊技媒体の貸し出し処理をおこなう貸出処理機を備えた遊技媒体貸出システムに関し、特に、リモコンによる簡単な操作により、紙幣収納ユニットの取り出しを即座におこなえるうえ、紙幣の回収作業を容易、且つ効率良くおこなうことができる遊技媒体貸出システムに関するものである。
【背景技術】
【０００２】
従来より、パチンコ機やパチスロ機などの遊技機を設置した遊技店で遊技をおこなう場合には、カード発行機などから、一旦プリペイドカードなどの磁気カード（記録媒体）を購入し、このプリペイドカードに関連付けられた有価価値に応じてパチンコ玉やメダルなどの遊技媒体を借り受ける遊技媒体貸出システム（カードシステム）が一般的に採用されている。また、プリペイドカードなどのカード媒体を使用する遊技媒体貸出システムの他、貸出処理機（台間機）に直接紙幣を投入することにより遊技機に遊技媒体を貸し出すことができる遊技媒体貸出システムも知られている。
【０００３】
ここで、かかるパチンコ機およびパチスロ機などの貸出処理機は、遊技客により投入された紙幣を収納する紙幣収納ユニットを備えており、通常、この紙幣収納ユニットには、鍵を使用した施錠（ロック）機構により施錠がおこなわれるものが採用されている（例えば、特許文献１参照。）。このため、遊技店の閉店時などには、店員により、貸出処理機の開閉扉を鍵（解錠）により開けた後、紙幣収納ユニット内に収納されている紙幣の回収をおこなうものとなる。
【０００４】
【特許文献１】特開平１０−８５４３７号公報
【発明の開示】
【発明が解決しようとする課題】
【０００５】
しかしながら、上記の従来技術における鍵による解錠方式の場合には、紙幣の回収時に各貸出処理機の鍵をその都度、解錠する必要があるうえ、紙幣の回収後には、再度、各貸出処理機の前面扉を鍵によって施錠する施錠作業も必要となる。このため、紙幣の回収作業に手間（時間）がかかり、作業効率の面で問題があった。
【０００６】
そこで、この発明は、上述した従来技術による問題点を解消するためになされたものであり、リモコン操作により紙幣収納ユニットの取り出し（解錠）を容易におこなえるうえ、紙幣の回収作業を効率良くおこなうことができる遊技媒体貸出システムを提供することを目的とする。
【課題を解決するための手段】
【０００７】
上述した課題を解決し、目的を達成するために、請求項１に記載の発明は、複数の遊技機に並設されるとともに、紙幣の受け入れにより、当該遊技機に対する遊技媒体の貸し出し処理をおこなう貸出処理機を備えた遊技媒体貸出システムにおいて、前記貸出処理機は、前記紙幣を内部に収納するとともに、前記貸出処理機本体内に収納され収納紙幣の取り出しを阻止する取り出し阻止状態と、前方へ突出して収納紙幣の取り出しを許容する取り出し許容状態との間を移動可能な紙幣収納ユニットを備え、前記紙幣収納ユニットに前記取り出し阻止状態と前記取り出し許容状態の間を移動させる突出移動機構と、外部から入力される解錠指示に対応して、前記突出移動機構の作動をおこなうことにより、前記紙幣収納ユニットに対する解錠を制御する解錠制御手段とを備えることを特徴とする。
【０００８】
また、請求項２に記載の発明は、複数の遊技機に並設されるとともに、紙幣の受け入れにより、当該遊技機に対する遊技媒体の貸し出し処理をおこなう貸出処理機を備えた遊技媒体貸出システムにおいて、前記貸出処理機は、前記紙幣を内部に収納するとともに、前記貸出処理機本体内に収納され収納紙幣の取り出しを阻止する取り出し阻止状態と、前方へ突出して収納紙幣の取り出しを許容する取り出し許容状態との間を移動可能な紙幣収納ユニットを備え、前記紙幣収納ユニットに前記取り出し阻止状態と前記取り出し許容状態の間を移動させる突出移動機構と、前記紙幣収納ユニットを取り出し阻止状態に施錠するロック機構と、外部から入力される解錠指示に対応して、前記ロック機構と前記突出移動機構の作動をおこなうことにより、前記紙幣収納ユニットに対する解錠を制御する解錠制御手段とを備えることを特徴とする。
【０００９】
また、請求項３に記載の発明は、複数の遊技機に並設されるとともに、紙幣の受け入れにより、当該遊技機に対する遊技媒体の貸し出し処理をおこなう貸出処理機と、前記紙幣による入金情報を売上情報として取得する管理装置とを備えた遊技媒体貸出システムにおいて、前記貸処理機は、前記紙幣を内部に収納するとともに、前記貸出処理機本体内に収納され収納紙幣の取り出しを阻止する取り出し阻止状態と、前方へ突出して収納紙幣の取り出しを許容する取り出し許容状態との間を移動可能な紙幣収納ユニットを備え、前記紙幣収納ユニットに前記取り出し阻止状態と前記取り出し許容状態の間を移動させる突出移動機構と、解錠指示を受けると、前記突出移動機構を作動させることにより、紙幣収納ユニットに対する解錠を制御する解錠制御手段とを備え、前記管理装置は、前記貸出処理機に対して、前記収納紙幣の回収にともなう、解錠指示を通知する解錠指示通知手段とを備えることを特徴とする。
【００１０】
また、請求項４に記載の発明は、請求項１、２または３に記載の発明において、前記解錠制御手段による紙幣収納ユニットに対する解錠は、無線式の遠隔操作装置による解錠指示通知に基づいておこなわれることを特徴とする。
【００１１】
また、請求項５に記載の発明は、請求項１〜４のいずれか一つに記載の発明において、前記突出移動機構は、前記紙幣収納ユニットに備えたラックと、前記ラックに噛合自在なピニオンギヤと、当該ピニオンギヤを駆動する駆動手段とにより構成されることを特徴とする。
【００１２】
また、請求項６に記載の発明は、請求項１〜４のいずれか一つに記載の発明において、前記突出移動機構は、前記貸出処理機本体の内部に前下がりに形成される第１の傾斜部材と、前記紙幣収納ユニットの底部に固設され、前記第１の傾斜部材に摺動する第２の傾斜部材とにより構成されることを特徴とする。
【発明の効果】
【００１３】
本発明に係る請求項１に記載の発明によれば、複数の遊技機に並設されるとともに、紙幣の受け入れにより、当該遊技機に対する遊技媒体の貸し出し処理をおこなう貸出処理機を備えた遊技媒体貸出システムにおいて、前記貸出処理機は、前記紙幣を内部に収納するとともに、前記貸出処理機本体内に収納され収納紙幣の取り出しを阻止する取り出し阻止状態と、前方へ突出して収納紙幣の取り出しを許容する取り出し許容状態との間を移動可能な紙幣収納ユニットを備え、前記紙幣収納ユニットに前記取り出し阻止状態と前記取り出し許容状態の間を移動させる突出移動機構と、外部から入力される解錠指示に対応して、前記突出移動機構の作動をおこなうことにより、前記紙幣収納ユニットに対する解錠を制御する解錠制御手段とを備えるので、外部からの解錠指示に基づいて、紙幣収納ユニットの取り出し許容状態への移動を即座におこなえるうえ、収納紙幣の回収作業を容易、且つ効率良くおこなうことができるという効果を奏する。
【００１４】
また、請求項２に記載の発明によれば、複数の遊技機に並設されるとともに、紙幣の受け入れにより、当該遊技機に対する遊技媒体の貸し出し処理をおこなう貸出処理機を備えた遊技媒体貸出システムにおいて、前記貸出処理機は、前記紙幣を内部に収納するとともに、前記貸出処理機本体内に収納され収納紙幣の取り出しを阻止する取り出し阻止状態と、前方へ突出して収納紙幣の取り出しを許容する取り出し許容状態との間を移動可能な紙幣収納ユニットを備え、前記紙幣収納ユニットに前記取り出し阻止状態と前記取り出し許容状態の間を移動させる突出移動機構と、前記紙幣収納ユニットを取り出し阻止状態に施錠するロック機構と、外部から入力される解錠指示に対応して、前記ロック機構と前記突出移動機構の作動をおこなうことにより、前記紙幣収納ユニットに対する解錠を制御する解錠制御手段とを備えるので、ロック機構により紙幣収納ユニットの装着を確実におこなえるうえ、外部からの解錠指示に基づいて、紙幣収納ユニットが紙幣収納取り出し許容状態へ移動されるため収納紙幣の回収作業を容易、且つ効率良くおこなうことができるという効果を奏する。また、紙幣収納ユニット内に収納された紙幣のセキュリティを確保できるという効果を奏する。
【００１５】
また、請求項３に記載の発明によれば、複数の遊技機に並設されるとともに、紙幣の受け入れにより、当該遊技機に対する遊技媒体の貸し出し処理をおこなう貸出処理機と、前記紙幣による入金情報を売上情報として取得する管理装置とを備えた遊技媒体貸出システムにおいて、前記貸出処理機は、前記紙幣を内部に収納するとともに、前記貸出処理機本体内に収納され収納紙幣の取り出しを阻止する取り出し阻止状態と、前方へ突出して収納紙幣の取り出しを許容する取り出し許容状態との間を移動可能な紙幣収納ユニットを備え、前記紙幣収納ユニットに前記取り出し阻止状態と前記取り出し許容状態の間を移動させる突出移動機構と、解錠指示を受けると、前記突出移動機構を作動させることにより、紙幣収納ユニットに対する解錠を制御する解錠制御手段とを備え、前記管理装置は、前記貸出処理機に対して、前記収納紙幣の回収にともなう、解錠指示を通知する解錠指示通知手段とを備えるので、管理装置からの解錠指示に基づいて、紙幣収納ユニットが紙幣収納取り出し許容状態へ移動されるため収納紙幣の回収作業を容易、且つ効率良くおこなうことができるという効果を奏する。また、紙幣収納ユニット内に収納された紙幣のセキュリティを確保できるという効果を奏する。
【００１６】
また、請求項４に記載の発明によれば、前記解錠制御手段による紙幣収納ユニットに対する解錠は、無線式の遠隔操作装置による解錠指示通知に基づいておこなわれるので、紙幣収納ユニットに対する解錠を容易におこなえるという効果を奏する。
【００１７】
また、請求項５に記載の発明によれば、前記突出移動機構は、前記紙幣収納ユニットに備えたラックと、前記ラックと噛合自在なピニオンギヤと、前記ピニオンギヤを駆動する駆動装置とにより構成されるので、紙幣収納ユニットの取り出しおよび装着に対する操作性および紙幣回収時の利便性を向上することができるという効果を奏する。
【００１８】
また、請求項６に記載の発明によれば、前記突出移動機構は、前記貸出処理機本体の内部に前下がりに形成される第１の傾斜部材と、前記紙幣収納ユニットの底部に固設され、前記第１の傾斜部材に摺動する第２の傾斜部材とにより構成されるので、紙幣収納ユニットは、ロック機構の解錠時、自重により第１の傾斜部に沿って取り出すことができ、これにより操作性および紙幣回収時の利便性を向上することができるという効果を奏する。
【発明を実施するための最良の形態】
【００１９】
以下に添付図面を参照して、パチンコ遊技に対して本発明に係る遊技媒体貸出システムを適用する場合の好適な実施例を詳細に説明する。なお、以下では、本実施例に係る遊技媒体貸出システムの概要および特徴を説明した後に、この遊技媒体貸出システムの特徴部分である紙幣収納ユニットに対する紙幣の回収制御機構（突出移動機構）を説明し、最後に、他の実施例（実施例３）として種々の変形例を説明することとする。なお、この実施例によりこの発明が限定されるものではない。
【実施例１】
【００２０】
（遊技媒体貸出システムの概要および特徴）
まず最初に、本実施例に係る遊技媒体貸出システムの概要および特徴を説明する。図１は、本実施例に係る遊技媒体貸出システムの概要を示す説明図である。図２は、本実施例に係る遊技媒体貸出システムの概略構成を示す機能ブロック図である。図３は、管理サーバ２００の構成を示す機能ブロック図を、図４は、中央管理装置１００の構成を示す機能ブロック図をそれぞれ示している。
【００２１】
この遊技媒体貸出システムでは、図１に示すように、それぞれ「島」と呼ばれるグループごとに複数の遊技機（以下、『パチンコ機』と称する）が併設されるとともに、これらパチンコ機１０にはそれぞれ１台ずつペアとなるように遊技媒体貸出処理機（以下、『玉貸出処理機』と称する）がパチンコ機１０の相互間に挟まれるように据置されており、遊技客により各玉貸出処理機２０（請求項１等の貸出処理機に対応）に挿入された紙幣（現金）による入金情報は売上情報として、中継器３００を介して接続された管理サーバ２００（請求項３の管理装置に対応）に対して送信され、この管理サーバ２００により各玉貸出処理機２０の売上情報（金額）が個別に管理されている。
【００２２】
さらに、この管理サーバ２００は、第三者機関によって運営される中央管理装置１００に接続され、管理サーバ２００により集計された各玉貸出処理機２０の売上情報は、中央管理装置１００に対して送信される。以上のように、中央管理装置１００により複数の遊技店（遊技店Ａ、Ｂ、Ｃ・・・）の総売上金額を統括的に管理する遊技媒体貸出システムが構築されている。
【００２３】
ここで、かかる遊技媒体貸出システムにおいて、玉貸出処理機のＢＶユニット部に対する解錠は、リモコンによる解錠操作（解錠指示通知）でおこなうとともに、このＢＶユニット部は、リモコン（請求項４の遠隔操作装置に対応）からの解錠指示により自動的に玉貸出処理機の本体内から取り出すことができる（突出させる）ことに主たる特徴があり、これによって、玉貸出処理機のＢＶユニット部に対する解錠にともなう紙幣の回収作業を容易且つ、効率良くおこなえるようにしている。
【００２４】
この主たる特徴を具体的に説明すると、玉貸出処理機２０のＢＶユニット部６１に対する解錠は、リモコン９０による操作（解錠指示通知）によりおこなうとともに、玉貸出処理機２０は、リモコン９０から送信される解錠指示通知を受信すると、ＢＶユニット部６１に備えた突出移動機構部６０を作動させ、この突出移動機構部６０の作動によりＢＶユニット部６１を本体２１内から取り出し許容状態まで突出させるものとなり、これによって、玉貸出処理機２０のＢＶユニット部６１に対する解錠にともなう紙幣の回収作業を効率良くおこなえるようにしている。
【００２５】
すなわち、突出移動機構部６０は、本体２１内からＢＶユニット部６１の取り出しを阻止する取り出し阻止許容状態（ＢＶユニット部６１の装着時）と、本体２１の外部へＢＶユニット部６１の取り出しを許容する取り出し状態（ＢＶユニット部６１の取り出し時）との切り換えをおこなう機能を備えており、この突出移動機構６０は駆動モータ６４により駆動されるピニオンギヤ６５と、このピニオンギヤ６５と噛合するラック６３とから構成するものとしている。
【００２６】
また、本実施例において、突出移動機構部７０は、玉貸出処理機２０の本体２１内部に前下がりに形成した傾斜部７５とＢＶユニット部７１の底部に固設した傾斜部７３を有するブラケット７２とにより構成するものとし、リモコン９０からの解錠指示通知に基づく、ロック機構部５３のロック解錠により、突出移動機構７０を作動させるようにしている。この場合、突出移動機構部７０の作動にともなって、ＢＶユニット部７１は、本体２１に形成した傾斜部７５に沿って自重により開口部５９を通じて前方に突出する。すなわち、これによって、玉貸出処理機２０のＢＶユニット部７１に対する解錠にともなう紙幣の回収作業を容易におこなえるようにしている。
【００２７】
また、本実施例において、リモコン９０の操作（解錠指示通知）により、玉貸出処理機２０の開口部５９を通じてＢＶユニット部６１が取り出された際、紙幣収納部５１を閉鎖している収納扉５１ａ（図１２）が引っ張りばね（図示せず）の弾力によって開口する機構となっている。すなわち、これにより、紙幣収納部５１に収納された紙幣を容易に掴むことが可能となり、紙幣の回収作業をさらに容易におこなえるものとしている。
【００２８】
（遊技媒体貸出システムの構成）
次に、本実施例に係る遊技媒体貸出システムの構成を説明する。この遊技媒体貸出システムにおける玉貸出処理機２０は、概略的に、遊技客により投入された紙幣（例えば、１０００円札の現金）により所定数の遊技玉（パチンコ玉）を投出するようにパチンコ機１０に対して指示する機能および紙幣投入時の入金情報をメモリ２７の売上情報記憶テーブル２８内（図８参照）に一時記憶し、この入金情報を売上情報としてリアルタイムで管理サーバ２００に通知する機能を備えている。このため、各玉貸出処理機２０と管理サーバ２００とは中継器３００を介して通信自在に構成されている。
【００２９】
また、後述するように、玉貸出処理機２０は、店内に取り付け固定された枠体３０（図６および７参照）に対して突出移動自在に構成されており、この枠体３０にはジョイント基板３１が設けられている。そして、通常（オンライン時）では、玉貸出処理機２０による売上情報は、メモリ２７内に格納され、玉貸出処理機２０の交換時或いは、玉貸出処理機２０と管理サーバ２００間での通信断線時（オフライン時）などには、玉貸出処理機２０のメモリ２７内に記憶された売上情報は枠体３０側（ジョイント基板３１）のメモリ３２内（売上情報記憶テーブル３３）に蓄積されるものとなる。
【００３０】
すなわち、この遊技媒体貸出システムは、玉貸出処理機２０に投入される紙幣（現金）による入金情報を売上情報として、管理サーバ２００に通知をおこなうとともに、管理サーバ２００により各玉貸出処理機２０の売上情報を集計管理し、これら各玉貸出処理機２０の集計データを中央管理装置１００に通知するシステムである。本遊技媒体貸出システムによると、プリペイドカード（カード媒体）などの使用頻度を低減することができる。
【００３１】
すなわち、玉貸出処理機２０および枠体３０のそれぞれには、予め個別の識別ＩＤ（玉貸出処理機２０の本体識別ＩＤ、枠体３０の枠体識別ＩＤ）が付与されており、これら２つの本体識別ＩＤおよび枠体識別ＩＤは、電源ＯＮ時（遊技店の開店時、貸出処理機本体の交換時など）に、この玉貸出処理機２０から管理サーバ２００に対して通信により通知され、管理サーバ２００内に設けられた管理サーバデータベース２１０内に自動的に登録される。そして、以降、各玉貸出処理機２０は、遊技客により投入された紙幣による入金毎に管理サーバ２００に対して入金額（売上金額）を所定のタイミングに通知するものとなる。
【００３２】
一方、管理サーバ２００では、玉貸出処理機２０からの通信情報（売上金額）を受信し、玉貸出処理機２０の本体識別ＩＤに関連付けて、更新および集計をおこなう。なお、遊技店内には遊技機１０および玉貸出処理機２０に接続されたホールコンピュータ（図示せず）が備えられており、このホールコンピュータにより賞球、出球率などの遊技情報に基づいて遊技店内の総売上が管理されることとなっている。
【００３３】
中継器３００（ＨＵＢ）は、各「島」内に１基ずつ据置されており、各「島」内のネットワークケーブルを束ねる集線装置（コンセントレータ）としての機能を備えている。本実施例では、それぞれの中継器３００は、シリアル接続（ディジーチェーン）により構成されている。
【００３４】
管理サーバ２００は、概略的に、遊技媒体貸出システムを構成する各機器の制御をおこなうものであり、各玉貸出処理機２０に投入された紙幣による入金情報を個別の売上情報として取得する機能を備えている。具体的には、各玉貸出処理機２０の識別ＩＤに基づいて、個々の玉貸出処理機２０ごとに投入された紙幣による入金情報を売上情報として集計し、管理する機能を備えている。なお、この管理サーバ２００は、遊技店内に設置されているが、中央管理装置１００を管理する第三者機関により設置される。
【００３５】
図３に示すように、管理サーバ２００は、管理サーバデータベース２１０と、管理サーバ２００全体の制御をおこなう制御部２１５と、メニュー画面や売上情報を表示する表示部２１６と、各種指示入力を受け付ける入力部２１７と、玉貸出処理機２０および中央管理装置１００と通信をおこなうための通信Ｉ／Ｆ２２０とを備えている。
【００３６】
管理サーバデータベース２１０は、玉貸出処理機２０の本体識別ＩＤおよび枠体３０の枠体識別ＩＤに関連付けた入金情報を玉貸出処理機の設置場所（号機）ごとに記憶する処理機能を備えている。具体的には、図１１−２に示すように、各遊技店を個別に識別する遊技店コード、取引時（紙幣投入時）の日付を示す取引日付、玉貸出処理機２０を特定する本体識別ＩＤ、枠体を特定する枠体識別ＩＤ、遊技台の番号、売上金額、玉貸出処理機本体の識別ＩＤおよび枠体の識別ＩＤの組み合わせによって取引を一意に特定するための取引ＩＤという７項目のフィールドが設けられている。
【００３７】
入力部２１７は、各種の情報を入力するキーボード、マウスおよびトラックボールなどの指示入力手段であり、管理サーバ２００の管理責任者から管理サーバデータベース２１０の閲覧の受け付けまたは玉貸出処理機２０の設定の受け付けなどの遊技店の売上管理に係る指示の受け付けをおこなう機能を備えている。
【００３８】
表示部２１６は、管理サーバ２００の操作をおこなう管理責任者に対して、管理サーバデータベース２１０の情報やメニュー画像（設定画面）を表示として出力する出力手段であり、モニタなどにより構成される。
【００３９】
通信Ｉ／Ｆ２２０は、玉貸出処理機２０の通信Ｉ／Ｆ２６（図８参照）を介して各玉貸出処理機２０による売上情報を通信により受信する機能および中央管理装置１００の通信Ｉ／Ｆ１３０（図４参照）を介して管理サーバ２００により集計された各玉貸出処理機２０の売上情報を送信する機能を備えている。
【００４０】
図４に示すように、中央管理装置１００は、中央管理制御部１１０と、表示部１１５と、遊技店管理データベース１２０と、通信Ｉ／Ｆ２２０（図３参照）を介して通信をおこなう通信Ｉ／Ｆ１３０とを備えている。そして、この中央管理装置１００は、各遊技店（遊技店Ａ、Ｂ、Ｃ・・・）に配置された管理サーバ２００との間で相互に通信をおこなうことにより、管理サーバ２００が取得した玉貸出処理機２０の売上情報に基づいて、各遊技店ごとの総売上集計、各玉貸出処理機２０の管理などをおこなう機能を備えている。
【００４１】
以下、図５〜８を参照して玉貸出処理機２０およびパチンコ機１０における構成の詳細について説明する。図５は、図２に示した遊技媒体貸出システムで適用する玉貸出処理機２０およびパチンコ機１０の外観正面図、図６は、玉貸出処理機２０を示す側面図（枠体３０との連結状態）、図７は、枠体３０と玉貸出処理機２０との分離状態を示す図をそれぞれ示している。図８は、玉貸出処理機２０の概要構成を示す機能ブロック図である。
【００４２】
図５に示すように、玉貸出処理機２０は、外見上縦長に構成したもので、貸出処理機２０を構成する本体２１と、この本体２１よりも前方（図６の右側）に向けて突出するように形成されたＢＶユニット部６１とを備えている。後述するように、このＢＶユニット部６１は、リモコン９０による操作（解錠指示通知）により本体２１に形成された開口部５９（図１２参照）を通じて自動的に突出可能に構成されている。
【００４３】
ここで、図６、７に示すように、この玉貸出処理機２０は遊技店内に取り付け固定された枠体３０に対して突出移動自在となっており、具体的には、玉貸出処理機２０を枠体３０に対して連結させ玉貸出処理機２０および枠体３０の上下に位置するコネクタを相互に嵌め込むことにより、この玉貸出処理機２０をパチンコ機１０に隣接した位置（図５では左側）に据置することができる。
【００４４】
また、玉貸出処理機２０の本体２１の前面パネルには、表示ランプ２２、表示部２３、リモコン用受光部２４とを備えている。表示ランプ２２は、玉貸出処理機２０の稼働状態を３色（緑色、赤色、黄色）のランプにより報知する機能を備えている。具体的に説明すると、緑色ランプの点灯は、正常動作を、赤色ランプの点灯は、何らかの異常が発生して使用が不可能な状態を、黄色ランプの点灯は、上位機器（中継機３００、管理サーバ２００など）との通信経路に異常が生じているオフライン状態をそれぞれ示している。
【００４５】
表示部２３は、玉貸出処理機２０のエラー状態をエラーコードなどで表示する機能を備えている。リモコン用受光部２４は、リモコン９０により送信された解錠指示通知に基づいて、玉貸出処理機２０のエラー状態をリセットするエラーリセット信号、解錠指示通知を受信する機能を備えている。後述するように、解錠対象となる玉貸出処理機２０がリモコン９０による解錠指示通知を受信した際には、ＢＶユニット部６１（７１）における突出移動機構６０（７０）が作動し、このＢＶユニット部６１の取り出しがおこなわれるものとなる。
【００４６】
制御部２５は、玉貸出処理機２０における各処理を一括してコントロールする制御機能を備えており、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的にパチンコ機１０に対して貸し玉の投出を指示する玉投出機能を具備する玉貸制御部５７を備えている。
【００４７】
通信Ｉ／Ｆ２６（インターフェース）は、中継器３００を介して管理サーバ２００に対して各玉貸出処理機２０による売上情報をリアルタイムで送信する機能を備えている。メモリ２７は、玉貸出処理機２０の記憶部としての機能を備えており、このメモリ２７内には、売上情報記憶テーブル２８が格納されている。
【００４８】
売上情報記憶テーブル２８は、紙幣による入金情報を売上情報として玉貸出処理機２０の本体識別ＩＤおよび枠体３０の枠体識別ＩＤの組み合わせごとに記憶するテーブルである。具体的には、図１１−１に示すように、玉貸出処理機２０の識別ＩＤおよび枠体３０の識別ＩＤの組み合わせ（取引ＩＤ）ごとの複数の領域に、各遊技店を個別に識別する遊技店コード、玉貸出処理機２０を特定する本体識別ＩＤ、枠体を特定する枠体識別ＩＤ、遊技台の番号および売上金額を記憶する機能を備えている。
【００４９】
ＢＶユニット部６１（７１）は、紙幣投入口１５と、紙幣収納部５１と、紙幣識別部５２とを備えている。紙幣投入口１５は、紙幣（本例では、１０００円札）を受け入れて、この紙幣を紙幣収納部５１に取り込むための開口である。紙幣収納部５１は、遊技客により紙幣投入口１５から投入された紙幣を収納する機能を備えている。つまり、本例では、遊技店の管理者などにより紙幣収納部５１内に収納された紙幣を回収するようにしている。このため、本例では、紙幣を島端などへ搬送する紙幣搬送機構や島端で紙幣を収納する紙幣収納金庫などが不要となる。
【００５０】
紙幣識別部５２は、遊技客により紙幣投入口１５から投入された紙幣に対する真偽や金額情報の判定（識別）および金額情報を記憶する紙幣処理機能を備えており、遊技客により投入された紙幣を受け入れて識別し、正常と判定される紙幣については、その識別結果および金額情報は制御部２５に通知される。一方、投入された紙幣が識別不能な紙幣については、紙幣投入口１５を通じて返却するものとなる。
【００５１】
ＢＶユニット制御部５６は、リモコン９０により送信される解錠指示通知に基づいて、ロック機構部５３によるロック（施錠）を制御する機能を備えている。本例では、後述するように、ロック機構部５３を構成するソレノイド８０に対する通電をおこない、この通電によりロック機構５３の解錠をおこなう制御機能を備えている。また、突出移動機構６０を構成する駆動モータ６４を駆動させることにより、ＢＶユニット部６１の突出移動を制御する機能を備えている。
【００５２】
ＢＶロック機構部５３は、ＢＶユニット部６１の施錠をおこなう機構を備えており、このＢＶロック機構部５３によるロック（施錠）の解錠は、遊技店の店員や管理者が所持するリモコン９０による解錠操作によりおこなわれる。このＢＶロック機構部５３の詳細については、後述する。５８は、玉貸出処理機２０に対して、ＡＣ電源（１００Ｖ）による電圧を供給するための電源部である。
【００５３】
突出移動機構部６０は、ＢＶユニット部６１の取り出しを阻止する取り出し阻止状態（ＢＶユニット部６１の装着時）とＢＶユニット部６１の取り出しを許容する取り出し許容状態（ＢＶユニット部６１の突出時）との切換えをおこなう機能を備えており、このＢＶユニット部６１に対する移動制御は駆動モータ６４による駆動制御でおこなわれる。
【００５４】
一方、枠体３０の上部位置には、ジョイント制御基板３１が設けられており、このジョイント基板３１は、玉貸出処理機２０を入れ替えた際および通信状態の断線時（オフライン時）の売上情報（データ）の保存用として機能するメモリ３３を備えている。このメモリ３３の内部には、玉貸出処理機２０の本体識別ＩＤおよび枠体３０の枠体識別ＩＤに関連付けた入金情報を格納する売上情報記憶テーブル３３が設けられている。
【００５５】
また、遊技機であるパチンコ機１０は、その前面が遊技領域１１および下方に設けた上皿１２とにより構成され、その内部には玉投出機構部１３が設けてある。この玉投出機構部１３は、制御部２５から貸玉投出要求が与えられた場合、並びにパチンコ機１０による賞玉投出要求が与えられた場合に、それぞれパチンコ機１０の上皿１２に所定数のパチンコ玉を投出する部分である。
【００５６】
次に、本実施例１に係る遊技媒体貸出システムにおける全体処理手順を説明する。なお、ここでは、本発明に係る遊技媒体貸出システムの「基本制御手順」を説明した後に、「全体制御手順」について説明し、最後に、本発明の特徴部分であるＢＶユニット部の突出移動機構の詳細について説明する。
【００５７】
（基本制御手順）
図９は、本実施例に係る遊技媒体貸出システムの基本制御手順を示すフローチャートである。すなわち、本発明の遊技媒体貸出システムは、大別して（１）開店時設定工程（ステップＳＡ１００）、（２）オンライン制御工程（ステップＳＡ２００）、（３）紙幣回収工程（ステップＳＡ３００）、（４）定期通信工程（ステップＳＡ４００）、（５）閉店時設定工程（ステップＳＡ５００）の５つの処理工程により構成されている。まず、これら（１）〜（５）の各制御工程について簡単に説明する。
【００５８】
（１）開店時設定工程
開店時設定工程は、管理サーバ２００により実行される開店通知による開店処理であり、この開店処理は、開店通知として、第三者機関によって管理される中央管理装置１００および遊技店内の各玉貸出処理機２０に対してその旨が通知されるものとなる。
【００５９】
すなわち、玉貸出処理機２０および枠体３０のそれぞれには、予め個別の識別ＩＤ（玉貸出処理機本体の識別ＩＤ、枠体の枠体識別ＩＤ）が付与されており、これら２つの識別ＩＤは、玉貸出処理機２０の電源ＯＮ時、この玉貸出処理機２０から管理サーバ２００に対して通信により通知されるとともに、これら玉貸出処理機２０の識別ＩＤ、枠体の枠体識別ＩＤは、管理サーバ２００内に設けられた管理サーバデータベース２１０内に自動的に登録される。以降、管理サーバ２００は、各玉貸出処理機２０からリアルタイムで通知される売上情報を管理サーバデータベース２１０内に格納するとともに、紙幣の受け入れに伴って売上情報の更新をおこなうこととなる。
【００６０】
（２）オンライン制御工程（通常時）
オンライン制御工程は、遊技客によって玉貸出処理機２０に対して現金（紙幣）が投入された際、この玉貸出処理機２０からパチンコ機１０に対して、玉を貸し出す玉貸し出し命令を通知するとともに、投入された紙幣による売上情報を玉貸出処理機２０の本体識別ＩＤおよび枠体３０の枠体識別ＩＤに関連付けて管理サーバ２００に対して通知する処理工程である。ここで、管理サーバ２００から中央管理装置１００に対して送信される売上情報の通知は、通常はリアルタイム通信により、逐次おこなわれるが、一定時間ごとにおこなうようにしてもよい。
【００６１】
（３）紙幣回収工程
紙幣回収工程は、遊技店の店員或いは管理者が所持する管理者用リモコン９０の操作により玉貸出処理機２０に備えたＢＶユニット部６１の解錠をおこない、このＢＶユニット部６１の内部に収納されている紙幣を回収する処理工程であり、遊技店の営業時間内および閉店時に適宜おこなわれる。詳細は、後述するが、本実施例の場合、突出移動機構部６０（７０）の作動に基づく、ＢＶユニット部６１（７１）に対する解錠により、紙幣の回収がおこなわれるものとなる。
【００６２】
（４）定期通信工程
定期通信工程は、遊技店の営業時間内において、管理サーバ２００と中央管理装置１００との間で実施される相互間の接続状態やエラーログなどを定期的に確認する処理工程である。
【００６３】
（５）閉店時通知工程
閉店時通知工程は、各玉貸出処理機２０から１日の売上情報を管理サーバ２００により全て取得するとともに、中央管理装置１００に対して集計売上情報を送信する処理工程である。この際、管理サーバ２００から閉店通知信号が中央管理装置１００および玉貸出処理機２０に対して送信される。
【００６４】
図１０は、遊技媒体貸出システムにおける全体制御手順（通常動作時）の詳細を示すフローチャートである。この図１０に示すフローチャートは、管理サーバ２００と玉貸出処理機２０との間でおこなわれる処理手順である。すなわち、遊技客により玉貸出処理機２０の紙幣投入口１５に紙幣（１０００円札）が投入されると（ステップＳ１００）、ＢＶユニット５０は、投入された紙幣の真偽を紙幣識別部５２により正常な紙幣か否かを判定する（ステップＳ１１０）。そして、ステップＳ１１０による判定により紙幣が不良紙幣と判定された場合には（ステップＳ１１０否定）、この不良紙幣は、紙幣投入口１５を通じて返却される（ステップＳ１１５）。
【００６５】
一方、投入された紙幣が正常な紙幣と判定された場合には（ステップＳ１１０肯定）、この紙幣を紙幣収納部５１内に収納するとともに、次の、ステップＳ１２０による玉貸出し処理に移行する（ステップＳ１２０）。具体的には、パチンコ機１０の玉投出機構部１３に対して１０００円分の玉を投出するように指示を与える。
【００６６】
これにより、パチンコ機１０の上皿１２には１０００円分の玉の投出がおこなわれ、遊技客による遊技が可能となる。以下、玉貸出処理機２０では、遊技客により投入された入金情報を売上情報として、この売上情報をメモリ２７内の売上情報記憶テーブル２８内に格納する（ステップＳ１３０）。
【００６７】
図１１−１は、玉貸出処理機２０のメモリ２７内および枠体３０のメモリ３２内に備えられた売上情報記憶テーブル２８の一例を示している。同図に示すように、売上情報記憶テーブル２８は、各遊技店を個別に識別する遊技店コード、玉貸出処理機本体を特定する本体識別ＩＤ、枠体を特定する枠体識別ＩＤ、遊技台の番号、売上金額、取引時に設定される取引識別ＩＤという６項目のフィールドが設けられている。
【００６８】
すなわち、図１１−１は、台番号１００番のパチンコ機１０で遊技をおこなう遊技客が玉貸出処理機２０（本体識別ＩＤ：ＸＸＸＸ１、枠体識別ＩＤ：ＹＹＹＹ１）に１０００円投入したときの売上情報記憶テーブル２８および台番号１０１番のパチンコ機１０で遊技をおこなう遊技客が玉貸出処理機２０（本体識別ＩＤ：ＸＸＸＸ２、枠体識別ＩＤ：ＹＹＹＹ２）に１０００円投入したときの売上情報記憶テーブル２８を示している。そして、これら各フィールドには、遊技客が玉貸出処理機２０に紙幣を投入する都度、記憶データとして格納され、売上情報記憶テーブル２８内の売上情報は、リアルタイムで管理サーバに通知される。
【００６９】
図１０のフローチャートに戻り、玉貸出処理機２０では、通信Ｉ／Ｆ２６を通じて管理サーバ２００に対して識別ＩＤに対応付けた売上情報の通知をおこなう（ステップＳ１４０）。一方、管理サーバ２００では、玉貸出処理機２０から売上情報の通知を受信し（ステップＳ１５０）、この売上情報を管理サーバデータベース２１０内に格納する（ステップＳ１６０）。次いで、同一の識別ＩＤがあるか否かの判定をおこない（ステップＳ１７０）、同一の識別ＩＤがある場合には（ステップＳ１７０肯定）、同一の識別ＩＤに関連付けて売上情報の更新をおこなう（ステップＳ１８０）。
【００７０】
一方、ステップＳ１７０の判定により、同一の識別ＩＤでない場合には（ステップＳ１７０否定）、エラー処理となる（ステップＳ１７１）。なお、全ての玉貸出処理機２０の識別ＩＤは、電源ＯＮ時に管理サーバ２００に通知されているため、通常、エラー処理となることはありえない。
【００７１】
以下、ステップＳ１８０により更新および集計された売上情報は、管理サーバ２００から中継器３００を通じて中央管理装置１００に対して送信される（ステップＳ１９０）。中央管理装置１００では、管理サーバ２００から通知された各玉貸出処理機２０による売上情報に基づいて、遊技店の総売上情報の管理をおこなうものとなる。
【００７２】
図１１−２は、管理サーバ２００内に備えられた管理サーバデータベース２１０の一例を示している。同図に示すように、管理サーバデータベース２１０は、各遊技店を個別に識別する遊技店コード、取引時（紙幣投入時）の日付を示す取引日付、玉貸出処理機本体を特定する本体識別ＩＤ、枠体を特定する枠体識別ＩＤ、遊技台の番号、売上金額、取引時に設定される取引識別ＩＤという７項目のフィールドが設けられている。
【００７３】
この管理サーバデータベース２１０の各フィールドのうち売上金額は、玉貸出処理機２０から通知される識別ＩＤに関連付けられた売上情報に基づいて、照合がおこなわれるとともに、更新処理により更新された売上情報（金額）がリアルタイム通信により中央管理装置１００に送信される。
【００７４】
再度、図１０のフローチャートに戻り、処理手順を説明する。すなわち、ステップＳ２００において、管理サーバ２００により紙幣の回収指示設定が有るか否かの判定をおこない（ステップＳ２００）、この紙幣回収指示が設定される場合には（ステップＳ２００肯定）、紙幣回収処理に移行する（ステップＳ２１０）。一方、ステップＳ２００の判定により紙幣回収指示設定がない場合には（ステップＳ２００否定）、そのまま処理工程は終了する（エンド）。
【００７５】
（ＢＶユニット部における突出移動動作）
次に、図１２および図１３−１、図１３−２を参照して、本実施例１に係るＢＶユニット部６１における突出移動動作の詳細について説明する。ここで、図１２は、ＢＶユニット部６１の突出移動動作（ＢＶユニット部６１の装着／ＢＶユニット部６１の取り出し）を説明する玉貸出処理機２０の斜視図を示している。また、図１３−１は、玉貸出処理機２０の内部にＢＶユニット部６１が装着された状態を、図１３−２は、紙幣の回収時にリモコン９０の操作によりＢＶユニット部６１が開口部５９を介して取り出された状態をそれぞれ示している。
【００７６】
すなわち、図１２に示すように、突出移動機構部６０は、遊技店の管理者などが所持するリモコン９０操作（解錠指示通知の送信）により、玉貸出処理機本体２１から突出および装着を自動的におこなう構成としている。具体的には、玉貸出処理機２０のリモコン用受光部２４に向けて、リモコン９０による個別解錠キー９１（図１４参照）をＯＮすることにより、本体２１内に装着されているＢＶユニット部６１を玉貸出処理機２０の前方（図１２の矢印Ａ方向）に突出させることができる。
【００７７】
以下、図１３−１、図１３−２を参照して、突出移動機構部６０の詳細を説明する。図１３−１に示すように、突出移動機構部６０は、ＢＶユニット部６１の取り出しを阻止する取り出し阻止状態（ＢＶユニット部６１の装着時）とＢＶユニット部６１の取り出しを許容する取り出し許容状態（ＢＶユニット部６１の取り出し時）との切換えをおこなう機能を備えている。また、この突出移動機構部６０はＢＶユニット部６１の下方部に形成されたラック６３と、このラック６３と噛合自在なピニオンギヤ６５と、ピニオンギヤ６５を出力ギヤとする駆動モータ６４とで構成されている。このため、ＢＶユニット部６１の突出／装着制御は、駆動モータ６４による駆動制御でおこなわれる。
【００７８】
すなわち、図１３−１に示すように、ＢＶユニット部６１の上下位置には、平板状のスライドレール６２ａ、６２ｂがそれぞれ固設されている。このうち、スライドレール６２ａは、このスライドレール６２ａの内側に固設した内側部材６７を本体２１に固設した外側部材６８に対して振り出し竿状に連結した構成としている。具体的には、内側部材６７の内部に設けた複数のベアリング６９と外側部材６８の凹溝との係合により、スライドレール６２ａが摺動可能となっている。
【００７９】
一方、スライドレール６２ｂの側面部には、ラック６３が形成されている。そして、このラック６３は、駆動モータ６４の先端に固定されたピニオンギア６５（出力軸）と噛合している。この駆動モータ６４には、ステッピングモータなどが使用される。これにより、ＢＶユニット部６１は、駆動モータ６４の駆動にともなう、ピニオンギア６５の回転により、突出方向（図１３−２の矢印Ａ方向）および装着方向（図１３−２の矢印Ｂ方向）に平行移動することができる。
【００８０】
以下、突出移動機構部６０によるＢＶユニット部６１の突出／装着動作について説明する。すなわち、図１３−１に示す、ＢＶユニット部６１の装着状態において、玉貸出処理機２０がリモコン９０の操作による解錠指示通知を受信すると、駆動モータ６４の駆動が開始され、ピニオンギア６５が回転（時計方向）する。次いで、ピニオンギヤ６５の回転駆動が、このピニオンギア６５に噛合されたラック６３に伝達され、これにより、図１３−２に示すように、ＢＶユニット部６１は開口部５９（図１３−２の矢印Ａ方向）に向けて移動し、開口部５９を介して、所定の位置まで突出した状態で停止する。そして、本例の場合、前述した図１２に示すように、このＢＶユニット部６１の取り出し（突出）にともなって、紙幣収納部５１の収納扉５１ａが引っ張りばね（図示せず）の弾力によって開口する機構となっている。これにより、紙幣収納部５１の内部に収納された紙幣を容易に回収できるようにしている。
【００８１】
ここで、駆動モータ６４の駆動パルスは、ＢＶユニット制御部５６によりカウントされており、ＢＶユニット部６１の突出位置が最適な位置となるように位置制御されている。なお、ＢＶユニット部６１の後端部に、ストッパー（図示せず）を設け、このストッパーなどにより、ＢＶユニット部６１の突出位置の規制および脱落防止を図るようにすることもできる。
【００８２】
一方、ＢＶユニット部６１の突出移動後（紙幣回収後）、この場合、ＢＶユニット部６１の装着（施錠）は、ＢＶユニット部６１の突出移動と反対に、駆動モータ６４を逆回転（反時計方向）させる駆動制御をおこなうことにより、突出した状態のＢＶユニット部６１を本体２１側に移動させ、ＢＶユニット部６１の装着をおこなうことができる。
【００８３】
図１４は、本実施例で適用されるリモコン９０の外観図を示している。すなわち、リモコン９０は、ＩＣ回路、近赤外線を送出する発光ダイオードなどを備えており、管理者用のリモコン９０の筐体を構成する前面パネル部には、玉貸出処理機２０のエラーなどの発生時に、リセット処理をおこなうリセットキー、個別の玉貸出処理機２０の解錠を対象とする個別解錠キー９１、暗証番号などを入力するためテンキー（０〜９）などが設けられている。
【００８４】
また、リモコンの先端部には、リセット信号、解錠信号などを送出するための発振部が設けられている。なお、この図１４は、管理者用のリモコン９０を示しているが、玉貸出処理機２０に発生したエラー表示などのリセット処理をおこなう店員用のリモコンもある。
【００８５】
上述してきたように、本実施例１に係る突出／装着機構によれば、リモコン９０による簡単な操作で、突出移動機構部６０を作動させることにより、解錠対象となる玉貸出処理機２０のＢＶユニット部６１に対する取り出しおよび装着（ＢＶユニット部６１の突出移動制御）を自動的におこなえるので、紙幣回収時の操作性を向上できるうえ、紙幣回収作業時間の短縮化を図ることができる。
【００８６】
また、本実施例１の場合、ＢＶユニット部６１の取り出しにともなって、紙幣収納部５１の収納扉５１ａが自動的に開口する機構となっているので、紙幣収納部５１内に収納された紙幣の取り出しも容易におこなうことができる。また、従来のように店員が解錠時およびロック時に解錠用の鍵を玉貸出処理機２０の鍵穴に挿入して操作する必要がなくなるうえ、紙幣収納部５１内の紙幣を島端へ搬送する紙幣搬送機構や島端において紙幣を回収する紙幣回収ボックスが不要となり、コスト削減およびセキュリティの面で有効である。
【実施例２】
【００８７】
次に、本実施例２に係る突出移動機構部７０の詳細について説明する。図１５−１は、玉貸出処理機２０の内部にＢＶユニット部７１が突出された状態を、図１５−２は、紙幣の回収時に、リモコン操作によりＢＶユニット部７１が取り出された状態をそれぞれ示している。
【００８８】
すなわち、上述した実施例１では、突出移動機構部６０をラック６３とピニオンギヤ６５の回転を駆動する駆動モータ６４との組合わせにより構成しているが、本実施例２では、突出移動機構部６０の作動を制御するＢＶロック機構部５３を備えるとともに、ＢＶユニット部７１の底面部に傾斜部７３を有するブラケット７２を固設し、玉貸出処理機２０の本体２１側にも、ブラケット７２の傾斜部７３と摺接自在な傾斜部７５を形成することにより、ＢＶロック機構部５３のロック解錠に基づいて、ＢＶユニット部７１を開口部５９を介して突出および装着できる構成とした点に特徴がある。
【００８９】
具体的に説明すると、突出移動機構部７０は、玉貸出処理機２０の本体２１内部に形成した傾斜部７５とＢＶユニット部７１の底部に固設した傾斜部７３を有するブラケット７２とにより構成するものとし、リモコン９０からの解錠指示通知に基づく、ロック機構部５３のロック解錠により、突出移動機構７０を作動させ、ＢＶユニット部７１が傾斜部７５に沿って自重により本体２１に形成した開口部５９を通じて外部に突出するようにしている。
【００９０】
すなわち、図１５−１に示すように、ＢＶユニット部７１の底面部には、傾斜部７３を有するブラケット７２が固設されている。この傾斜部７３は、開口部５９の下方に向けて傾斜するように形成されている。また、玉貸出処理機２０の本体２１側にも、ブラケット７２の傾斜部７３と摺接自在な傾斜部７５が形成されており、互いの傾斜部７３、７５同士は、ＢＶユニット部７１の自重により当接されている。また、傾斜部７５には、搬送ローラ７６が設けられている。
【００９１】
また、ＢＶユニット部７１の上方位置にはロック機構部５３が設けられている。このロック機構部５３は、ソレノイド８０と、ロックレバー８１とを備えるとともに、ロックレバー８１の先端部には、鉤部８２が形成されており、この鉤部８２は、ＢＶユニット部７１の上端部に形成された係合ピン７７と係合可能となっている。
【００９２】
また、本体２１の取り付け部７８には、引っ張りばね８５の一端（図１５−１の上側）がロックレバー８１の基端部には、引っ張りばね８５の他端（図１５−１の下側）が取り付けられている。このため、ソレノイド８０のＯＦＦ時（非通電時）、ロックレバー８１は、引っ張りばね８５の弾力により支軸８６を支点として、時計方向に偏奇するため、ロックレバー８１の鉤部８２と係合ピン７７とが係合し、これにより、ＢＶユニット部７１に対するロック（施錠）をおこなうものとなる。なお、ソレノイド８０に対する通電のＯＮ／ＯＦＦは、ＢＶユニット制御部５６（図８）による通電制御によりおこなわれる。
【００９３】
以下、突出移動機構部７０によるＢＶユニット部７１の突出／装着制御について説明する。すなわち、図１５−１に示す、ＢＶユニット部７１の状態において、玉貸出処理機２０がリモコン９０の操作による解錠指示通知を受信すると、図１５−２に示すように、ソレノイド８０の作動（ＯＮ）にともなって、引っ張りばね８５の弾力に抗して、ロックレバー８１が反時計方向に偏奇するため、ロックレバー８１の鉤部８２と係合ピン７７との係合が外れる。これにより、ＢＶユニット部７１は、自重により傾斜部７５に沿って開口部５９（図１５−２の矢印Ａ方向）に向けて移動し、開口部５９を介して、所定の位置まで突出した状態で停止する。なお、ソレノイド８０は所定経過後にＯＦＦとなり、ロックレバー８１は水平姿勢に戻される。
【００９４】
一方、ＢＶユニット部７１の突出移動後（紙幣回収後）、ＢＶユニット部７１を装着（施錠）する場合は、前方に突出したＢＶユニット部７１を手で本体２１側（図１５−２の矢印Ｂ方向）に向けて押し込むことにより、ＢＶロック機構部５３によるＢＶユニット部７１のロックをおこない、このロックによりＢＶユニット部７１を本体２１内に装着することができる。
【００９５】
具体的に説明すると、ＢＶユニット部６１の装着時、このＢＶユニット部７１の押し込みにともなって、引っ張りばね８５の弾力により、ロックレバー８１は、反時計方向に偏奇するため、このロックレバー８１の鉤部８２と係合ピン７７とが係合する。これにより、ＢＶユニット部７１は、ロック機構部５３によりロック（施錠）された状態で、本体２１内に装着することができる。ここで、前述したように、傾斜部７５には搬送ローラ７６が設けられていいるため、この搬送ローラ７６の作用により、ＢＶユニット部７１の突出移動をよりスムーズにおこなうことができる。
【００９６】
上述してきたように、本実施例２に係る突出制御機構によれば、リモコン９０による簡単な操作で、ロック機構部５３によるロック機構の解錠とともに、突出制御機構部７０を作動させることができ、これによって、解錠対象となる玉貸出処理機２０のＢＶユニット部７１に対する突出および装着（ＢＶユニット部７１の突出移動制御）を自動的におこなうことができるうえ、紙幣回収時の操作性を向上することができる。また、本実施例２の場合、ロック機構部５３によるロック機構を備えているので、本体２１に対するＢＶユニット部７１の装着は、手動により容易におこなうことができる。
【実施例３】
【００９７】
さて、これまで本発明の実施例１、２について説明したが、本発明は上述した実施例１、２以外にも、上記特許請求の範囲に記載した技術的思想の範囲内において種々の異なる実施例にて実施されてもよいものである。
【００９８】
例えば、本実施例１、２では、本発明に係る遊技媒体貸出システムをパチンコ遊技に適用した場合について説明したが、本発明はこれに限定されるものではなく、パチスロ機による遊技システムにおいても同様に適用することができる。
【００９９】
また、本実施例１、２では、パチンコ機の内部から玉が投出される（所謂、ＣＲ機方式）について説明したが、本発明はこれに限定されるものではなく、玉貸出処理機からノズルを介して玉が投出される方式においても同様に適用することができる。また、上述した実施例に示されるような紙幣のみ受け付ける玉貸出処理機だけではなく、カード（プリペイドカード、会員カードなど）と紙幣の両方を受け付けることができ、少なくとも紙幣が機内に収納されるタイプのカード処理機にも適用することができる。
【０１００】
さらには、上述した実施例１、２に示されるようなプリペイドカードなどのカード媒体が全く介在しない玉貸出処理機だけでなく、紙幣を受け入れて当該紙幣を機体内に収納する方式であれば、カード媒体が介在する玉貸出処理機においても、本発明を適用することができる。この場合、玉貸出処理機による貸出処理がおこなわれる都度、カード媒体を排出する必要がなくなるため、ランニングコストを低減できるとともに、カード媒体の偽造などによる影響を受けることがなくなるうえ、売上情報の厳正な管理が可能となる。更には、カード媒体が機内に内蔵され、投入された紙幣の価値を当該内蔵カード媒体に関連付けて玉貸処理をおこなうとともに、投入紙幣を機内に収納するタイプの玉貸出処理機にも、本発明を適用することができる。
【０１０１】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１０３】
以上のように、本発明にかかる遊技媒体貸出システムは、紙幣の回収をおこなう場合の、紙幣収納ユニットに対する解錠制御に有用であり、特に、パチンコ機やパチスロ機などで利用される玉貸出処理機に適している。
【図面の簡単な説明】
【０１０４】
【図１】本発明の実施例１に係る遊技媒体貸出システムの概要を示す説明図である。
【図２】本発明の実施例１に係る遊技媒体貸出システムの概略構成を示す機能ブロック図である。
【図３】図２に示した管理サーバの構成を示す機能ブロック図である。
【図４】図２に示した中央管理装置の構成を示す機能ブロック図である。
【図５】図２に示した遊技媒体貸出システムで適用する玉貸出処理機およびパチンコ機の外観正面図である。
【図６】図５に示した玉貸出処理機を示す側面図である。
【図７】図５に示した玉貸出処理機と枠体との分離状態を示す図である。
【図８】実施例１に係る玉貸出処理機の概略構成を示す機能ブロック図である。
【図９】実施例１に係る遊技媒体貸出システムの基本処理手順を示すフローチャートである。
【図１０】実施例１に係る遊技媒体貸出システムの全体処理手順を示すフローチャートである。
【図１１−１】売上情報記憶テーブルの構成を示す図である。
【図１１−２】管理サーバデータベースの構成を示す図である。
【図１２】実施例１に係る玉貸出処理機におけるＢＶユニット部の突出／装着動作を示す斜視図である。
【図１３−１】実施例１に係る玉貸出処理機に対するＢＶユニット部の装着状態を示す概略構成図である。
【図１３−２】実施例１に係る玉貸出処理機に対するＢＶユニット部の突出状態を示す概略構成図である。
【図１４】管理者用のリモコンを示す外観図である。
【図１５−１】実施例２に係る玉貸出処理機に対するＢＶユニット部の装着状態を示す概略構成図である。
【図１５−２】実施例２に係る玉貸出処理機に対するＢＶユニット部の突出状態を示す概略構成図である。
【符号の説明】
【０１０５】
１０  パチンコ機
１５  紙幣挿入口
２０  玉貸出処理機
２１  本体
２２  表示ランプ部
２３、１１５、２１６  表示部
２４  リモコン用受光部
２５、２１５  制御部
２６、１３０、２２０  通信Ｉ／Ｆ
２７、３２  メモリ
３０  枠体
３１  ジョイント基板
２８、３３  売上情報記憶テーブル
５１  紙幣収納部
５２  紙幣識別部
５３  ＢＶロック機構部
５６  ＢＶユニット制御部
５７  玉貸制御部
５８  電源部
５９  開口部
６０、７０  突出移動機構部
６１、７１  ＢＶユニット部
６２ａ、ｂ  スライドレール
６３  ラック
６４  駆動モータ
６５  ピニオンギヤ
６７  内側部材
６８  外側部材
６９  ベアリング
７２  ブラケット
７３、７５  傾斜部
７６  搬送ローラ
７７  係合ピン
７８  取り付け部
８０  ソレノイド
８１  ロックレバー
８２  鉤部
８５  引っ張りばね
８６  支軸
９０  リモコン
１００  中央管理装置
１１０  中央管理制御部
１２０  遊技店管理データベース
２００  管理サーバ
２１０  管理サーバデータベース
２１７  入力部
３００  中継器
【図１】
2005124638.tif 000003
【図２】
2005124638.tif 000004
【図３】
2005124638.tif 000005
【図４】
2005124638.tif 000006
【図５】
2005124638.tif 000007
【図６】
2005124638.tif 000008
【図７】
2005124638.tif 000009
【図８】
2005124638.tif 000010
【図９】
2005124638.tif 000011
【図１０】
2005124638.tif 000012
【図１１−１】
2005124638.tif 000013
【図１１−２】
2005124638.tif 000014
【図１２】
2005124638.tif 000015
【図１３−１】
2005124638.tif 000016
【図１３−２】
2005124638.tif 000017
【図１４】
2005124638.tif 000018
【図１５−１】
2005124638.tif 000019
【図１５−２】
2005124638.tif 000020